(57)【要約】【課題】  スキャナ収容体を構成するフレームカバーとボトムフレームのうち、いずれか一方に凸部が他方に凹部がそれぞれ形成され、凸部と凹部を嵌合させるようにしてフレームカバーがボトムフレームに組み付けられる構成において、組み付け作業を行う作業者から凸部や凹部が見えない場合でも、容易に凸部を凹部に嵌合させる手段を提供する。【解決手段】  本画像読取装置１は、スキャナユニットを収容するスキャナ収容体２が、底部を構成するボトムフレーム８と、これを覆うように組み付けられるフレームカバー９とを備え、ボトムフレーム８に、フレームカバー９の組み付け位置を決めるための位置決め片２１が突設される一方、フレームカバー９に、位置決め片２１が差し込まれる位置決め溝３０が形成され、該位置決め溝３０の縁部に、位置決め溝３０へ向かって傾斜するようにして、位置決め片２１を位置決め溝３０へ案内する案内面３３が形成されたものである。【選択図】  図７
2008131620.tif 000002
【特許請求の範囲】
【請求項１】
原稿画像を読み取るスキャナユニットを収容するためのスキャナ収容体が、底部を構成するボトムフレームと、該ボトムフレームを覆うように組み付けられるフレームカバーとを備えてなる画像読取装置において、
前記ボトムフレームに、前記フレームカバーの組み付け位置を決めるための位置決め片が突設される一方、前記フレームカバーに、前記位置決め片が差し込まれる位置決め溝が形成され、該位置決め溝の縁部に、前記フレームカバーの表面から前記位置決め溝へ向かって傾斜するようにして、前記位置決め片を前記位置決め溝へ案内する案内面が形成されたことを特徴とする画像読取装置。
【請求項２】
前記装置本体の上に、原稿を押圧固定するための原稿押圧板がヒンジを介して開閉可能に設けられるとともに、前記フレームカバーに、前記ヒンジを嵌入するためのヒンジ嵌入凹部が形成され、該ヒンジ嵌入凹部に前記位置決め溝が形成されたことを特徴とする請求項１に記載の画像読取装置。
【請求項３】
前記位置決め溝が、前記ヒンジ嵌入凹部を貫通して形成され、前記位置決め片に、前記ヒンジとの干渉を回避するための切欠き部が形成されたことを特徴とする請求項２に記載の画像読取装置。
【請求項４】
前記ボトムフレームが板金製且つ前記フレームカバーが樹脂製であるとともに、前記ヒンジが、前記原稿押圧板を開き方向へ付勢するスプリングを備え、前記位置決め片は、その厚み方向が前記原稿押圧板の開閉方向と略平行となるように設けられたことを特徴とする請求項１乃至３のいずれかに記載の画像読取装置。
【請求項５】
前記ヒンジ嵌入凹部の底部における装置正面側の端部に、前記フレームカバーを前記ボトムフレームに固定するネジを挿通させるためのネジ挿通孔が形成されたことを特徴とする請求項４に記載の画像読取装置。
【発明の詳細な説明】
【技術分野】
【０００１】
本発明は、原稿画像を読み取るスキャナユニットを収容するためのスキャナ収容体を備えた画像読取装置に関し、特に、スキャナ収容体が、底部を構成するボトムフレームと、該ボトムフレームを覆うように組み付けられるフレームカバーとを備えた画像読取装置に関する。
【背景技術】
【０００２】
コピー機、ファクシミリ、スキャナ等には、複写しようとする原稿やファクシミリ送信しようとする原稿の画像を読み取るための画像読取装置が搭載されている。この画像読取装置は、原稿画像を読み取るスキャナユニットがスキャナ収容体の内部に収容され、スキャナ収容体の上に載置された原稿をスキャナユニットが移動しながら読み取り、或いは所定の搬送経路を搬送される原稿をスキャナユニットが停止した状態で読み取るものとなっている。図１１は、画像読取装置を構成する従来のスキャナ収容体の一例を示す概略斜視図である。スキャナ収容体７０は、底部を構成するボトムフレーム７１と、該ボトムフレーム７１を覆うように組み付けられるフレームカバー７２とを備えるものである。ここで、フレームカバー７２をボトムフレーム７１に組み付ける際には、所定の組み付け位置に正確に位置決めする必要がある。従来、画像読取装置を構成する各部材の組み付けでは、一方の部材に凸部を形成するとともに他方の部材に凹部を形成し、凸部と凹部を嵌合させることによって位置決めを行う方法が用いられている（例えば特許文献１参照）。これと同様に、フレームカバー７２とボトムフレーム７１の組み付けにおいても、図に詳細は示さないが、フレームカバー７２とボトムフレーム７１のいずれか一方にダボと呼ばれる凸部を形成する一方、他方にダボ孔と呼ばれる凹部を形成し、ダボとダボ孔を嵌合させるようにフレームカバー７２を組み付けることでその位置決めを行うのが一般的である。
【０００３】
【特許文献１】特開２００３−２０８０７２号公報
【発明の開示】
【発明が解決しようとする課題】
【０００４】
しかし、従来の画像読取装置では、フレームカバー７２の組み付け作業を行う作業者からダボやダボ孔の位置が見えない場合、手探りでダボやダボ孔の位置を確認しながら両者を嵌合させるのが難しく、作業性が悪いという問題があった。
【０００５】
本発明は、このような問題に鑑みてなされたものであり、スキャナ収容体を構成するフレームカバーとボトムフレームのうち、いずれか一方に凸部が他方に凹部がそれぞれ形成され、凸部と凹部を嵌合させるようにしてフレームカバーがボトムフレームに組み付けられる構成において、組み付け作業を行う作業者から凸部や凹部が見えない場合でも、容易に凸部を凹部に嵌合させることを可能にする手段を提供する。
【課題を解決するための手段】
【０００６】
上記目的を達成するための請求項１記載の画像読取装置は、原稿画像を読み取るスキャナユニットを収容するためのスキャナ収容体が、底部を構成するボトムフレームと、該ボトムフレームを覆うように組み付けられるフレームカバーとを備えてなる画像読取装置において、前記ボトムフレームに、前記フレームカバーの組み付け位置を決めるための位置決め片が突設される一方、前記フレームカバーに、前記位置決め片が差し込まれる位置決め溝が形成され、該位置決め溝の縁部に、前記フレームカバーの表面から前記位置決め溝へ向かって傾斜するようにして、前記位置決め片を前記位置決め溝へ案内する案内面が形成されたものである。
【０００７】
請求項２記載の画像読取装置は、前記装置本体の上に、原稿を押圧固定するための原稿押圧板がヒンジを介して開閉可能に設けられるとともに、前記フレームカバーに、前記ヒンジを嵌入するためのヒンジ嵌入凹部が形成され、該ヒンジ嵌入凹部に前記位置決め溝が形成されたものである。
【０００８】
請求項３記載の画像読取装置は、前記位置決め溝が、前記ヒンジ嵌入凹部を貫通して形成され、前記位置決め片に、前記ヒンジとの干渉を回避するための切欠き部が形成されたものである。
【０００９】
請求項４記載の画像読取装置は、前記ボトムフレームが板金製且つ前記フレームカバーが樹脂製であるとともに、前記ヒンジが、前記原稿押圧板を開き方向へ付勢するスプリングを備え、前記位置決め片は、その厚み方向が前記原稿押圧板の開閉方向と略平行となるように設けられたものである。
【００１０】
請求項５記載の画像読取装置は、前記ヒンジ嵌入凹部の底部における装置正面側の端部に、前記フレームカバーを前記ボトムフレームに固定するネジを挿通させるためのネジ挿通孔が形成されたものである。
【発明の効果】
【００１１】
本発明に係る画像読取装置によれば、フレームカバーをボトムフレームに組み付ける作業を行う際に、位置決め片や位置決め溝の位置が見えない場合でも、位置決め片が位置決め溝から多少位置ズレしても、位置決め片は案内面によって位置決め溝方向へ案内されるので、手探りでも容易に位置決め片を位置決め溝に差し込むことができ、フレームカバーのボトムフレームへの組み付けが容易になる。
【００１２】
また、本発明に係る画像読取装置によれば、フレームカバーに、ボトムフレームを覆う機能とは別に、ヒンジを受ける機能をも持たせたことにより、ヒンジを受けるための部材をフレームカバー以外に別途設ける場合と比べて、部品点数の削減及びコストダウンを図ることができる。
【００１３】
また、本発明に係る画像読取装置によれば、位置決め溝をヒンジ嵌入凹部に形成したので、フレームカバーに位置決め溝を形成するための箇所をヒンジ嵌入凹部とは別に形成する必要がなく、フレームカバーの構成が複雑化することもない。
【００１４】
また、本発明に係る画像読取装置によれば、位置決め片に切欠き部が形成されたので、ヒンジ嵌入凹部の内部に位置決め片が突出してヒンジに干渉することがない。
【００１５】
また、本発明に係る画像読取装置によれば、位置決め片が原稿押圧板の開閉方向と略平行となるように設けられたので、原稿押圧板を閉じる際に、ヒンジを構成するスプリングからヒンジ嵌入凹部に対して装置背面側へ跳ね上げるようなモーメントが作用しても、このモーメントを位置決め片で抑止することができる。これにより、ヒンジ嵌入凹部がモーメントを受けて変形することを防止することができる。
【００１６】
また、本発明に係る画像読取装置によれば、フレームカバーがそのヒンジ嵌入凹部の底部においてボトムフレームにネジ固定されるので、ヒンジ嵌入凹部が前記モーメントを受けて変形することをより確実に防止することができる。更に、固定用のネジを外部に露出させることなく、フレームカバーをボトムフレームに固定することができるので、画像読取装置の美観が損なわれることもない。
【００１７】
また、本発明に係る画像読取装置によれば、ネジ挿通孔が、ヒンジ嵌入凹部の底部における装置正面側の端部に設けられたので、ヒンジ嵌入凹部に対して作用する装置背面側へ跳ね上げるようなモーメントをより確実に抑止することができる。
【発明を実施するための最良の形態】
【００１８】
以下、本発明の実施例に係る画像読取装置１について図面に基づいて説明する。図１は、本実施例に係る画像読取装置１の外観を示す概略斜視図である。本画像読取装置１は、原稿の複写機能、ファクシミリ通信機能、インターネットファクシミリ通信機能等を備えるコピー・ファクシミリ複合機である。本画像読取装置１は、スキャナユニット（不図示）を収容してなるスキャナ収容体２と、該スキャナ収容体２の上に開閉可能に設けられ、読み取るべき原稿をスキャナ収容体２上に押圧固定するための原稿押圧板３と、スキャナ収容体２の前面に設けられユーザが各種操作を行うための操作パネル４と、を具備するものである。ここで、原稿押圧板３には、原稿をセットするための原稿トレイ５、読み取り後の原稿を貯留するための排紙トレイ６、及び原稿トレイ５から排紙トレイ６へ原稿を搬送する自動原稿搬送機構（以下、「ＡＤＦ」と略す）７がそれぞれ設けられている。
【００１９】
このように構成される画像読取装置１では、いわゆるフラットベッド方式とシートスルー方式の２種類の方式での画像読み取りが可能である。フラットベッド方式は、原稿をスキャナ収容体２上に載置して原稿押圧板３で押圧固定した状態において、スキャナユニットが原稿の下方を移動しながらその画像情報の読み取るものである。一方、シートスルー方式は、原稿トレイ５上に載置された原稿の束が最上紙から１枚ずつ繰り出されてＡＤＦ７に供給され、ＡＤＦ７内の搬送経路に沿って搬送される間に、所定位置で停止したスキャナユニットがその画像情報を順次読み取るものである。
【００２０】
図２は、スキャナ収容体２と原稿押圧板３を装置背面側から見た概略斜視図である。スキャナ収容体２は、その底部を構成する板金製のボトムフレーム８と、該ボトムフレーム８を覆うように組み付けられた樹脂製のフレームカバー９とを備えてなるものである。フレームカバー９は、装置正面側を構成する正面側カバー１０と、装置背面側を構成する背面側カバー１１とから構成されており、正面側カバー１０の上面には、原稿載置面を構成するプラテンガラス１２が配設されている。これにより、スキャナ収容体２の内部に収容された前記スキャナユニットが、プラテンガラス１２を通して原稿の画像情報を読み取ることが可能となっている。一方、原稿押圧板３には、図２に示すように、その装置背面側の２箇所にヒンジ１３が取り付けられている。このヒンジ１３は、スキャナ収容体２に取り付けるための基部１４と、図２詳細は示さないが原稿押圧板３を支持する押圧板支持部とが回動自在に枢着されたものであり、図２では押圧板支持部が原稿押圧板３に固定されて、基部１４が原稿押圧板３の底面から下方に向かって突出した状態を示している。尚、本実施例では正面側カバー１０と背面側カバー１１を別部材として構成しているが、両者を一体構成することも可能である。
【００２１】
図３は、背面側カバー１１を取り外した状態のスキャナ収容体２を装置背面側から見た概略斜視図である。スキャナ収容体２を構成する板金製のボトムフレーム８には、その装置幅方向両端部に、前記スキャナユニットを駆動するモータ等の各種部材を固定するための第１固定ブラケット１５と第２固定ブラケット１６とがそれぞれ配設されている。ここで、図４は図３において第１固定ブラケット１５の周辺を、図５は第２固定ブラケット１６の周辺をそれぞれ拡大した図である。第１固定ブラケット１５及び第２固定ブラケット１６は、板金を打ち抜き及び曲折加工して形成したものであって、ボトムフレーム８の上面にそれぞれネジで固定されている。この第１固定ブラケット１５には、図４に示すように、背面側カバー１１を固定するためのカバー固定片１７が、装置幅方向内側に向かって突設され、その中央部にはネジ孔１８が穿設されている。同様に、第２固定ブラケット１６にも、図５に示すように、背面側カバー１１を固定するためのカバー固定片１９が、装置幅方向外側に向かって突設され、その中央部にはネジ孔２０が穿設されている。
【００２２】
一方、図４に示すように、ボトムフレーム８の装置背面側端部であって第１固定ブラケット１５に近接した位置には、背面側カバー１１を位置決めするための位置決め片２１が設けられている。この位置決め片２１は、ボトムフレーム８の端縁を９０°曲折することにより、その厚み方向が原稿押圧板３の開閉方向と略平行となるように立設されている。また、位置決め片２１の装置幅方向外側の端部には、その上隅部を略矩形に切り落としてなる切欠き部２２が形成されている。
【００２３】
図６は、背面側カバー１１を裏側から見た概略斜視図である。背面側カバー１１は、樹脂等が成型されてなるものであり、スキャナ収容体２の上面を構成する上面部２３と、この上面部２３と略９０°の角度をなしてスキャナ収容体２の背面を構成する背面部２４と、上面部２３及び背面部２４の双方と略９０°の角度をなしてスキャナ収容体２の左右両側面を構成する左右一対の側面部２５と、を備えるものである。そして、背面側カバー１１の内側面には、その長手方向及び幅方向に向かって延びる複数のリブ２６が列設され、上面部２３，背面部２４，及び側面部２５それぞれの境界である角部が構造的に補強されている。
【００２４】
また、図６に示すように、背面側カバー１１の内側には、前記ヒンジ１３の基部１４を嵌入するための第１ヒンジ嵌入凹部２７と第２ヒンジ嵌入凹部２８がそれぞれ設けられている。この第１ヒンジ嵌入凹部２７と第２ヒンジ嵌入凹部２８は、図２に示すように、背面側カバー１１におけるヒンジ１３に対応した２箇所に形成された開口２９から下方に向かってそれぞれ延び、図６に示すように、略直方体の箱型形状を有している。尚、第１ヒンジ嵌入凹部２７と第２ヒンジ嵌入凹部２８を設ける位置は、原稿押圧板３の重心位置に対応してヒンジ１３の位置が変化した場合には、これに応じて適宜設計変更が可能である。また、第１ヒンジ嵌入凹部２７と第２ヒンジ嵌入凹部２８の形状についても、ヒンジ１３の基部１４の形状に応じて適宜設計変更が可能である。
【００２５】
図７は、図６において第１ヒンジ嵌入凹部２７の底部を拡大した部分拡大斜視図である。第１ヒンジ嵌入凹部２７の底部には、前記ボトムフレーム８の位置決め片２１を差し込むための位置決め溝３０と、背面側カバー１１をボトムフレーム８に固定する固定ネジを収容するためのネジ収容部３１と、ネジ収容部３１を前記第１固定ブラケット１５のカバー固定片１７に当接するよう案内するための傾斜の付いた左右一対の案内リブ３２とが設けられている。
【００２６】
位置決め溝３０は、図７に示すように、第１ヒンジ嵌入凹部２７の底面２７ａと側面２７ｂを貫通するようにして縦断面略Ｌ字型に形成され、その溝幅は、前記位置決め片２１の厚みと略等しいかそれより若干大きく形成されている。この位置決め溝３０の左右両縁部には、前記位置決め片２１を位置決め溝３０の方向へ案内するための案内面３３がそれぞれ形成されている。この各案内面３３は、縦断面で見て第１ヒンジ嵌入凹部２７の底面から位置決め溝３０へ向かってカーブを描きながら落ち込むように形成されている。この案内面３３の形状は、第１ヒンジ嵌入凹部２７の底面から位置決め溝３０へ向かって傾斜するよう形成されていれば、例えば、縦断面で見て直線形に落ち込む形状とすることも可能である。尚、位置決め溝３０の形成位置は、位置決め片２１の立設位置に応じて背面側カバー１１上の任意の位置に変更可能であるが、本実施例のように第１ヒンジ嵌入凹部２７に形成すれば、後述するようにヒンジ１３から第１ヒンジ嵌入凹部２７に作用するモーメントを、位置決め片２１で受けて抑止することができるという利点がある。
【００２７】
ネジ収容部３１は、図７に示すように、第１ヒンジ嵌入凹部２７の底面２７ａであって装置正面側の端部を、部分的に段落ちさせて形成したものである。このネジ収容部３１の中央には、前記固定ネジの軸部を挿通させるためのネジ挿通孔３４が貫通形成されている。尚、本実施例ではネジ収容部３１を平面視で略円形に形成しているが、固定ネジの頭部を収容可能な広さと深さを有していれば、ネジ収容部３１の形状は適宜設計変更が可能である。また、左右一対の案内リブ３２は、図７に示すように、ネジ収容部３１から突出してそれぞれ設けられ、その底部は平坦に形成されている。この各案内リブ３２は、カバー固定片１７に当接してネジ収容部３１を一定の位置に保持できれば、その突出位置，個数，形状等は、適宜設計変更が可能である。
【００２８】
一方、第２ヒンジ嵌入凹部２８は、図６に示すように、第１ヒンジ嵌入凹部２７と同様に、その底部にネジ収容部３１と左右一対の案内リブ３２が設けられているが、位置決め溝３０が形成されていない点で第１ヒンジ嵌入凹部２７とは異なっている。このネジ収容部３１及び案内リブ３２は、第１ヒンジ嵌入凹部２７と同じ構成であるため、図６では同じ符号を付し、ここではその説明を省略する。
【００２９】
以下、背面側カバー１１のボトムフレーム８への組み付け作業を、図８乃至図１０に基づいて説明する。背面側カバー１１の組み付け作業に際しては、まず、背面側カバー１１をボトムフレーム８における所定の組み付け位置に位置決めする。この位置決めは、ボトムフレーム８に立設された位置決め片２１を、前記第１ヒンジ嵌入凹部２７に形成された位置決め溝３０に差し込むことにより行う。ここで、作業者から位置決め溝３０や位置決め片２１が見えない場合、手探りで位置決め溝３０や位置決め片２１の位置を確認しながら作業を行う必要があり、図８に示すように、位置決め溝３０が位置決め片２１から若干位置ズレする場合がある。しかし、このような場合でも、位置決め溝３０の左右両縁部には案内面３３が形成されているため、位置決め片２１を案内面３３に沿って位置決め溝３０方向に案内するようにして、背面側カバー１１が横方向にスライドする。そして、位置決め溝３０が位置決め片２１の直上位置まで達すると、図９に示すように、位置決め片２１が位置決め溝３０の内部に差し込まれる。この時、前述のように位置決め片２１には切欠き部２２が形成されているので、位置決め片２１が第１ヒンジ嵌入凹部２７の内部に大きく突出することがなく、第１ヒンジ嵌入凹部２７にヒンジ１３を嵌入する際に位置決め片２１が邪魔にならない。
【００３０】
このようにして背面側カバー１１を位置決めした後、背面側カバー１１をボトムフレーム８にネジ固定する。図１０は、第１ヒンジ嵌入凹部２７の周辺を示す概略縦断面図である。背面側カバー１１をボトムフレーム８上に位置決めした状態においては、第１ヒンジ嵌入凹部２７の案内リブ３２がカバー固定片１７に当接し、図１０に詳細は示さないが、第２ヒンジ嵌入凹部２８の案内リブ３２もカバー固定片１９に当接する。これにより、背面側カバー１１はガタつくことなく水平な状態で保持され、第１ヒンジ嵌入凹部２７の底部に設けられたネジ収容部３１は、その底面が第１固定ブラケット１５のカバー固定片１７に当接した状態となる。この状態から、ネジ収容部３１に形成されたネジ挿通孔３４に対し、第１ヒンジ嵌入凹部２７の内側から外側に向かって固定ネジ３５を挿通させ、図４及び図１０に示すように、この固定ネジ３５をカバー固定片１７のネジ孔１８に螺合させる。これにより、第１ヒンジ嵌入凹部２７は、その底部において第１固定ブラケット１５を介してボトムフレーム８に固定される。また、図５に示すように、第２ヒンジ嵌入凹部２８についても固定ネジ３５を挿通させて、第２固定ブラケット１６のカバー固定片１９に形成されたネジ孔２０に螺合させる。これにより、第２ヒンジ嵌入凹部２８は、その底部において第２固定ブラケット１６を介してボトムフレーム８に固定される。
【００３１】
このように、第１ヒンジ嵌入凹部２７と第２ヒンジ嵌入凹部２８をその底部においてそれぞれボトムフレーム８にネジ固定することにより、ヒンジ１３から作用する力によってこれらに変形が生じるのを防止することができる。より詳細に説明すると、図１０に示すように、ヒンジ１３は、その内部にスプリング３６を備え、このスプリング３６が原稿押圧板３を開き方向に付勢している。従って、原稿押圧板３を閉じる際または閉じた状態では、スプリング３６が圧縮されて生じる付勢力によって、図１０に矢印で示すように、ヒンジ１３から第１ヒンジ嵌入凹部２７に対して装置背面側に跳ね上げるようなモーメントＭが作用し、このモーメントＭによって樹脂製の第１ヒンジ嵌入凹部２７が変形するという問題がある。これに対し、本発明では第１ヒンジ嵌入凹部２７が板金製のボトムフレーム８にネジ固定されることでこのモーメントＭが抑止され、第１ヒンジ嵌入凹部２７が変形しにくくなっている。また、第１ヒンジ嵌入凹部２７のネジ挿通孔３４は、その底部における装置正面側の端部に形成されるので、モーメントＭをより確実に抑止することができる。加えて、前述のように、第１ヒンジ嵌入凹部２７の位置決め溝３０に差し込まれる位置決め片２１は、その厚み方向が原稿押圧板３の開閉方向と平行となるように立設されているので、この位置決め片２１によってもヒンジ１３からのモーメントＭが抑止され、第１ヒンジ嵌入凹部２７が一層変形しにくくなっている。
【００３２】
また、固定ネジ３５は、その頭部がネジ収容部３１の内部に収容されるので、その後に第１ヒンジ嵌入凹部２７と第２ヒンジ嵌入凹部２８に対してヒンジ１３を嵌入する際に、固定ネジ３５の頭部と干渉することなくスムーズにヒンジ１３を嵌入することができる。更に、固定ネジ３５を外部に露出させることなく背面側カバー１１をボトムフレーム８に固定することができるので、画像読取装置１の美観が損なわれることもない。
【産業上の利用可能性】
【００３３】
本画像読取装置１は、コピー・ファクシミリ複合機に限られず、例えば、複写機能のみを備えるコピー専用機や、ファクシミリ通信機能のみを備えるファクシミリ専用機として構成することも可能である。
【図面の簡単な説明】
【００３４】
【図１】本発明の実施例に係る画像読取装置１の外観を示す概略斜視図。
【図２】スキャナ収容体２と原稿押圧板３を装置背面側から見た概略斜視図。
【図３】背面側カバー１１を取り外した状態のスキャナ収容体２を装置背面側から見た概略斜視図。
【図４】図３において第１固定ブラケット１５の周辺を拡大した部分拡大斜視図。
【図５】図３において第２固定ブラケット１６の周辺を拡大した部分拡大斜視図。
【図６】背面側カバー１１を裏側から見た概略斜視図。
【図７】図６において第１ヒンジ嵌入凹部２７の底部を拡大した部分拡大斜視図。
【図８】背面側カバー１１のボトムフレーム８への組み付け作業を説明するための説明図。
【図９】背面側カバー１１のボトムフレーム８への組み付け作業を説明するための説明図。
【図１０】第１ヒンジ嵌入凹部２７の周辺を示す概略縦断面図。
【図１１】従来例に係るスキャナ収容体７０の構成を示す概略斜視図。
【符号の説明】
【００３５】
１  画像読取装置
２  スキャナ収容体
３  原稿押圧板
８  ボトムフレーム
９  フレームカバー
１３  ヒンジ
２１  位置決め片
２２  切欠き部
２７  第１ヒンジ嵌入凹部（ヒンジ嵌入凹部）
３０  位置決め溝
３３  案内面
３４  ネジ挿通孔
３６  スプリング
【図１】
2008131620.tif 000003
【図２】
2008131620.tif 000004
【図３】
2008131620.tif 000005
【図４】
2008131620.tif 000006
【図５】
2008131620.tif 000007
【図６】
2008131620.tif 000008
【図７】
2008131620.tif 000009
【図８】
2008131620.tif 000010
【図９】
2008131620.tif 000011
【図１０】
2008131620.tif 000012
【図１１】
2008131620.tif 000013